(57)【特許請求の範囲】
【請求項１】
溝路の蓋受枠に載置される溝蓋であって、その側縁裏面に固着する取付片部と、取付片部から直角状に屈曲されて溝蓋裏面から垂下する垂直片部と、該垂直片部の下端から上方に折り返されて、溝路の内側面に弾接する弾性圧接片部と、さらに前記垂直片部の縦寸法に略一致する上下方向の補強壁部とを備えてなる跳ね上がり防止装置が両側縁に設けられていることを特徴とする跳ね上がり防止装置を備える溝蓋。
【請求項２】
跳ね上がり防止装置の補強壁部が、垂直片部の各側部と略直交する位置関係で、各側部に連成されたものであることを特徴とする請求項１に記載した跳ね上がり防止装置を備える溝蓋。
【発明の詳細な説明】
【０００１】
【発明の属する技術分野】
本発明は、溝蓋の跳ね上がり防止装置に関する。
【０００２】
【従来の技術】
溝路の蓋受枠に載置される溝蓋が、人や自動車等の通行による衝撃で容易に跳ね上がらないようにするために設ける跳ね上がり防止装置が知られている。
【０００３】
かかる溝蓋の跳ね上がり防止装置ａは、図７，図８に示すように、溝路ｂの蓋受枠ｃに載置される溝蓋ｄの、その側縁裏面に上端を固着して下方に垂設された垂直片部ｅと、該垂直片部ｅの下端から上方に折り返された弾性圧接片部ｆとを備えている。そして、該溝蓋ｄを蓋受枠ｃに載置した状態で、前記弾性圧接片部ｆを溝路ｂの内側面ｇに弾接させることにより、溝蓋ｄに対して衝撃が加えられても容易に跳ね上がらない保持作用が得られるようになっている。
【０００４】
【発明が解決しようとする課題】
ところで、従来の跳ね上がり防止装置ａにあっては、図９イに示すように、溝路ｂの清掃時等において、蓋受枠ｃから取り外して路上に置く際に、その置き方が悪かったり、路上に置いた状態で誤って溝蓋ｄを踏み付けたりすると、図９ロに示すように、垂直片部ｅが上端部分で屈曲して変形してしまい、所定の保持作用が得られなくなるという問題点があった。
【０００５】
本発明は、かかる従来の問題点を解消し得るようにした溝蓋の跳ね上がり防止装置を提供することを目的とするものである。
【０００６】
【課題を解決するための手段】
本発明は、溝路の蓋受枠に載置される溝蓋であって、その側縁裏面に固着する取付片部と、取付片部から直角状に屈曲されて溝蓋裏面から垂下する垂直片部と、該垂直片部の下端から上方に折り返されて、溝路の内側面に弾接する弾性圧接片部と、さらに前記垂直片部の縦寸法に略一致する上下方向の補強壁部とを備えてなる跳ね上がり防止装置が両側縁に設けられていることを特徴とする跳ね上がり防止装置を備える溝蓋である。
【０００７】
かかる構成にあって、溝蓋を蓋受枠に載置すると、垂直片部の下端から上方に折り返された弾性圧接片部が溝路の内側面に弾接することにより、溝蓋の保持作用が得られ、衝撃による跳ね上がりが防止される。また、溝蓋を蓋受枠から取り外して路上に置いた状態において、誤って踏み付けたりして上方から圧力が加えられても、垂直片部の縦寸法に略一致する上下方向の補強壁部によって該圧力が支持され、垂直片部の変形が防止される。
【０００８】
また、上記補強壁部を、垂直片部の各側部と略直交する位置関係で、各側部に連成する構成が提案され得る。このように、補強壁部を垂直片部の側部に連成し、かつ該補強壁部を垂直片部に略直交させて設けることにより、補強壁部と垂直片部とが、前後方向及び左右方向の両変形加圧力に対して相互に支え合う作用を生じることとなり、その堅牢性をさらに向上させることができる。
【０００９】
【発明の実施の形態】
以下に、本発明にかかる溝蓋の跳ね上がり防止装置の第一実施例を添付図面について説明する。跳ね上がり防止装置１は、図１に示すように、垂直片部２と、該垂直片部２の下端から上方に折り返された弾性圧接片部３とを備え、さらに垂直片部２の縦寸法に略一致する上下方向の補強壁部４を備えている。この実施例では、該補強壁部４が、垂直片部２の左右両側部に夫々配設されており、該補強壁部４，４が垂直片部２の各側部と略直交する位置関係で該側部に連成されている。
【００１０】
この跳ね上がり防止装置１は、ステンレスばね鋼板からなり、該ステンレスばね鋼板を所定形状に打ち抜いた後、プレス装置による屈曲加工を介して一体成形されている。垂直片部２の上端には水平状に屈曲された取付片部５が設けられており、また、補強壁部４，４の上部には、後述するように取付片部５の左右側縁５ａ，５ａを溝蓋６の裏面に溶接するに際して、該側縁５ａ，５ａを露出させて溶接作業を容易とする矩形状の切り欠き部７，７が設けられている。
【００１１】
そして、前記取付片部５の左右側縁５ａ，５ａ及び後側縁５ｂの三箇所の所要部分を溝蓋６の裏面に溶接することによって、該溝蓋６の両側縁の所定位置に複数の跳ね上がり防止装置１を固着するようにしている。
【００１２】
かかる構成にあって、図２，図３に示すように、溝路８の蓋受枠９に溝蓋６を載置すると、垂直片部２の下端から上方に折り返された弾性圧接片部３が溝路８の内側面１０に弾接することにより、溝蓋６の保持作用が得られ、衝撃による跳ね上がりを防止することができる。
【００１３】
一方、溝路８の清掃時などに際して、図４に示すように、溝蓋６を蓋受枠９から取り外して路上１１に置いた状態で、誤って踏み付けたりして上方から圧力が加えられた場合には、垂直片部２の縦寸法に略一致する上下方向の補強壁部４，４によって該圧力が支持されることとなり、垂直片部２の変形が防止される。ここで、補強壁部４，４が垂直片部２の側部に連成され、かつ該補強壁部４，４を垂直片部２に略直交させて設けていることにより、補強壁部４，４と垂直片部２とが、前後方向及び左右方向の両変形加圧力に対して相互に支え合う作用を生じることとなり、強固な堅牢性を得ることができる。
【００１４】
尚、上記第一実施例では、補強壁部４を、垂直片部２の左右両側部に夫々配設しているが、該補強壁部４は、垂直片部２の左右両側部の何れか一方のみに配設することも可能である。
【００１５】
図５は、跳ね上がり防止装置１の第二実施例を示す。この実施例は、垂直片部２の上端の取付片部５の左右両側に補強壁部４，４を連成することにより、該補強壁部４，４を垂直片部２と略直交する位置関係で配設したものである。
【００１６】
かかる構成にあっては、補強壁部４，４が垂直片部２に連結されていないため、第一実施例のものに比して若干堅牢性は劣るものの、垂直片部２の縦寸法に略一致する上下方向の補強壁部４，４によって、上方からの圧力が支持されるので、垂直片部２の変形を防止することができる。また、第一実施例と同様に、補強壁部４，４を垂直片部２に略直交させて設けていることにより、補強壁部４，４と垂直片部２とによって、前後方向及び左右方向の両変形加圧力に対して相互に支え合う作用を生じさせることができる。
【００１７】
図６は、跳ね上がり防止装置１の第三実施例を示す。この実施例は、垂直片部２の上端の取付片部５の後部側に補強壁部４を連成したものである。この構成にあっては、上記第二実施例のものに比して若干堅牢性は劣るものの、垂直片部２の縦寸法に略一致する上下方向の補強壁部４を備えていることによって、上方からの圧力を補強壁部４と垂直片部２とに分散させて支持することができるため、垂直片部２の変形を防止し得るものとなる。
【発明の効果】
本発明は、上述したように、溝路８の蓋受枠９に載置される溝蓋６の、その側縁裏面に上端を固着して下方に垂設された垂直片部２と、該垂直片部２の下端から上方に折り返されて、溝路８の内側面１０に弾接する弾性圧接片部３とを備え、さらに前記垂直片部２の縦寸法に略一致する上下方向の補強壁部４を備えてなる溝蓋６の跳ね上がり防止装置１であるから、溝蓋６を蓋受枠９に載置すると、垂直片部２の下端から上方に折り返された弾性圧接片部３が溝路８の内側面１０に弾接することにより、溝蓋６の保持作用が得られ、衝撃による跳ね上がりを防止することができる一方、溝蓋６を蓋受枠９から取り外して路上に置いた状態で、誤って踏み付けたりして上方から圧力を加えても、垂直片部２の縦寸法に略一致する上下方向の補強壁部４によって該圧力が支持され、垂直片部２の変形を防止することができる。
【００１８】
また、上記補強壁部４を、垂直片部２の側部に、該側部と略直交させて連成することにより、補強壁部４と垂直片部２とが、前後方向及び左右方向の両変形加圧力に対して相互に支え合う作用を生じるため、その堅牢性をさらに向上させ得る優れた効果がある。
【図面の簡単な説明】
【図１】本発明の第一実施例にかかる跳ね上がり防止装置を示す斜視図である。
【図２】同上の跳ね上がり防止装置を備えた溝蓋の使用状態を示す側面図である。
【図３】同上の跳ね上がり防止装置を備えた溝蓋の使用状態を示す平面図である。
【図４】溝蓋を路上に置いた状態を示す側面図である。
【図５】第二実施例にかかる跳ね上がり防止装置を示す斜視図である。
【図６】第三実施例にかかる跳ね上がり防止装置を示す斜視図である。
【図７】従来構成の跳ね上がり防止装置を備えた溝蓋の使用状態を示す側面図である。
【図８】従来構成の跳ね上がり防止装置を備えた溝蓋の使用状態を示す斜視図である。
【図９】従来構成の跳ね上がり防止装置の問題点を示す説明図である。
【符号の説明】
１  跳ね上がり防止装置
２  垂直片部
３  弾性圧接片部
４  補強壁部
６  溝蓋
８  溝路
９  蓋受枠
１０  内側面
【図１】
0004660019.tif 000002
【図２】
0004660019.tif 000003
【図３】
0004660019.tif 000004
【図４】
0004660019.tif 000005
【図５】
0004660019.tif 000006
【図６】
0004660019.tif 000007
【図７】
0004660019.tif 000008
【図８】
0004660019.tif 000009
【図９】
0004660019.tif 000010